(57)【要約】【課題】ボビン切り替え時に発生していた線叩きを確実に防止することができる光ファイバの巻き取り装置および巻き取り方法を提供する。【解決手段】光ファイバＦを巻取ボビン２２ａに巻き取り、少なくとも当該巻き取り処理の終了処理時には光ファイバＦが巻取ボビン２２ａに巻き取られる箇所を覆う位置に線叩き防止手段２４が配設される。巻き取られている光ファイバＦの帯電とは逆電位の静電気を線叩き防止手段２４に帯電させる静電気発生手段２５を設ける。【選択図】図２
2014052499.tif 000002
【特許請求の範囲】
【請求項１】
光ファイバが巻取ボビンに巻き取られる箇所を覆う線叩き防止手段と、
静電気を帯電させる静電気発生手段と、
を備え、
前記静電気発生手段は、前記巻取ボビンに巻き取られている光ファイバの帯電とは逆電位の静電気を前記線叩き防止手段に帯電させることを特徴とする光ファイバの巻き取り装置。
【請求項２】
前記静電気発生手段は、前記線叩き防止手段と前記巻取ボビンの間に取り付けられ、前記巻取ボビンの回転により静電気を発生し、前記線叩き防止手段に対して接触することにより、前記線叩き防止手段に静電気を帯電させる部材であることを特徴とする請求項１に記載の光ファイバの巻き取り装置。
【請求項３】
前記静電気発生手段は、コロナ放電で静電気を発生させる手段であり、非接触で静電気を前記線叩き防止手段に帯電させることを特徴とする請求項１に記載の光ファイバの巻き取り装置。
【請求項４】
光ファイバを巻取ボビンに巻き取る際、少なくとも前記光ファイバの巻き取り終了処理時には光ファイバが巻取ボビンに巻き取られる箇所を覆う位置に線叩き防止手段を配設し、
前記巻取ボビンに巻き取られている光ファイバの帯電とは逆電位の静電気を前記線叩き防止手段に帯電させつつ光ファイバを巻き取ることを特徴とする光ファイバの巻き取り方法。
【発明の詳細な説明】
【技術分野】
【０００１】
本発明は、光ファイバを巻き取るための装置およびその巻き取り方法に関する。
【背景技術】
【０００２】
従来から、線引工程において連続的に送られてくる光ファイバを高速でボビンに巻き取り、所定量の巻き取りが完了した巻取りボビンを新しく巻き取りを開始する空の巻取りボビンに切り替える際に、光ファイバの走行を中断することなく巻き取りを切り替えることが製造効率の観点から行われている。
【０００３】
ところが、この巻取りボビンの切り替えに際しては、切断された光ファイバの端末部がフリー状態となって巻取りボビンの回転と共にボビンの回転が止まるまでの僅かな時間ではあるが周りを振れ回る。このため、端末部は、ボビンに巻かれた光ファイバの表面を叩き、線叩きといわれる状態が生じることがある。この線叩きは、高速巻取りで発生しやすく、巻取られた光ファイバを損傷させてしまう。
【０００４】
この線叩きによる不具合を防止するために、例えば、下記特許文献１には、巻取りボビンの近傍に設けた吸引ノズルの吸引によって、切断した光ファイバを強制的に吸引保持しながら巻取りが完了したボビンの回転を停止させ、光ファイバの弛み部分を巻き取った光ファイバに接触しないようにして線叩きを防止する光ファイバの巻取り装置が開示されている。
【０００５】
また、下記特許文献２には、ボビンに巻き取る光ファイバを案内する切欠部を有し、内周面の径がボビンから遠ざかる方向に向けて順次拡大され、巻取りボビンの一方の鍔部を覆うことが可能なように配置された環状ガイドを備え、この環状ガイドによって光ファイバの切断終端部分を巻回を終えた巻線体の外側に導きながら回転を停止させ、線叩きを防止するようにした光ファイバの巻取り装置が開示されている。
【先行技術文献】
【特許文献】
【０００６】
【特許文献１】特開２００５−２１９８５５号公報
【特許文献２】特開２００４−２３１４１８号公報
【発明の概要】
【発明が解決しようとする課題】
【０００７】
しかしながら、特許文献１に開示されている吸引ノズルを備えた光ファイバの巻取り装置では、更なる巻取り処理の迅速化が要求される中、光ファイバの巻取り速度を高速にしていくと吸引ノズルによる光ファイバの吸引が追いつかず、吸引ノズルから光ファイバが飛び出して浮遊し、線叩きが生じてしまう虞があった。
【０００８】
また、特許文献２に開示されている環状ガイドを備えた光ファイバの巻取り装置では、必ずしも線叩き防止の成功率は十分ではなく、更なる巻取り処理の迅速化が要求される中、より確実に線叩きを防止することができる巻取り装置が求められる。
【０００９】
そこで、本発明は、ボビン切り替え時に発生していた線叩きをより確実に防止することができる光ファイバの巻き取り装置および巻き取り方法の提供を目的とするものである。
【課題を解決するための手段】
【００１０】
上記課題を解決するために、本発明の光ファイバの巻き取り装置は、光ファイバが巻取ボビンに巻き取られる箇所を覆う線叩き防止手段と、静電気を帯電させる静電気発生手段と、を備え、前記静電気発生手段は、前記巻取ボビンに巻き取られている光ファイバの帯電とは逆電位の静電気を前記線叩き防止手段に帯電させることを特徴とするものである。
【００１１】
また、本発明の光ファイバの巻き取り装置において、前記静電気発生手段は、前記線叩き防止手段と前記巻取ボビンの間に取り付けられ、前記巻取ボビンの回転により静電気を発生し、前記線叩き防止手段に対して接触することにより、前記線叩き防止手段に静電気を帯電させる部材であることが好ましい。
【００１２】
また、本発明の光ファイバの巻き取り装置において、前記静電気発生手段は、コロナ放電で静電気を発生させる手段であり、非接触で静電気を前記線叩き防止手段に帯電させることが好ましい。
【００１３】
また、本発明の光ファイバの巻き取り方法は、光ファイバを巻取ボビンに巻き取る際、少なくとも前記光ファイバの巻き取り終了処理時には光ファイバが巻取ボビンに巻き取られる箇所を覆う位置に線叩き防止手段を配設し、前記巻取ボビンに巻き取られている光ファイバの帯電とは逆電位の静電気を前記線叩き防止手段に帯電させつつ光ファイバを巻き取ることを特徴とするものである。
【発明の効果】
【００１４】
本発明の光ファイバの巻き取り装置および巻き取り方法によれば、ボビンに巻き取られている光ファイバとは逆電位の静電気を線叩き防止手段に帯電させることによって、ボビン切り替え時に光ファイバの端末を線叩き防止手段の内壁に付着させ続けることができ、確実に線叩きを防止することができる。
【図面の簡単な説明】
【００１５】
【図１】本発明に係る光ファイバの巻き取り装置が使用される光ファイバ製造装置の一形態を示す概略構成図である。
【図２】本発明に係る光ファイバの巻き取り装置の一形態を示す一部断面図である。
【図３】本発明に係る光ファイバの巻き取り装置の別の一形態を示す一部断面図である。
【図４】巻取ボビンの切り替え動作を説明するための図である。
【図５】線叩き防止手段の帯電量（電位差）と線叩き防止率との関係を示すグラフである。
【発明を実施するための形態】
【００１６】
以下、本発明に係る光ファイバの巻き取り装置および巻き取り方法の実施形態の例を添付図面に基づいて説明する。なお、以下では線引き装置を例に説明するが、線引き装置には限定されず、着色機や巻き替え機などでの巻き取り装置、巻き取り方法にも適用可能である。
図１は、光ファイバの製造装置（線引き装置）の一形態を示す概略構成図である。線引き工程において巻取ボビンの切り替えを行うために巻き取り装置２１が使用されている。
【００１７】
光ファイバの製造装置１は、光ファイバ母材２を加熱する線引加熱炉３を備えており、光ファイバ母材２は炉心管４内で加熱されて軟化し、下方に引き延ばされて細径化したガラスファイバ７が形成される。
【００１８】
その後、冷却装置８、樹脂被覆装置１０，１１、紫外線照射装置１２を経て、ガラスファイバ７は、外周に樹脂が被覆された光ファイバＦとなり、キャプスタン（引き取り手段）１４に引き込まれて所定の張力が加えられ、切り替え装置２０内の巻取ボビン２２ａに巻き取られる。切り替え装置２０は、２つの巻取ボビン２２ａ、２２ｂを保持可能としており、一方の巻取ボビン２２ａにおいて所定量の光ファイバの巻き取りが完了した際に、他方の巻取ボビン２２ｂに巻き取りを切り替えることができるようになっている。
【００１９】
図２は、光ファイバＦを巻き取る巻き取り装置の一形態を示す概略構成図である。
巻き取り装置２１は、回転駆動する駆動軸２３と、光ファイバＦを巻き取る巻取ボビン２２ａと、巻取ボビン２２ａを覆う線叩き防止手段２４と、線叩き防止手段２４に静電気を帯電させるための帯電部材（例えば、ブラシ等。静電気発生手段の一例）２５を備えている。
【００２０】
巻き取り装置２１は、光ファイバＦの走行を停止させることなく、巻き取りを実行するボビンを巻取ボビン２２ａと２２ｂに交互に切り替えて、高速で連続的に光ファイバＦを巻き取ることが可能な装置である。
【００２１】
巻き取り装置２１の駆動軸２３は、巻取ボビン２２ａの一方側の鍔部２６を支持するボビン支持盤２７と、同鍔部２６に嵌め込まれる嵌入部２８を備えている。また、駆動軸２３は、巻取ボビン２２ａの他方側の鍔部２６’に嵌入される押さえコーン２９を備えている。駆動軸２３は、ボビン支持盤２７、嵌入部２８、および押さえコーン２９によって両側から巻取ボビン２２ａを駆動軸２３に取り付け固定している。また、駆動軸２３は、軸方向への往復移動が可能であり、この移動に伴って巻取ボビン２２ａも軸方向へ往復移動されるようになっている。このように、本実施形態では、ボビン２２ａが軸方向に往復移動するボビントラバース方式を例に説明するが、ボビン２２ａを固定し、トラバースローラ３０をボビン軸方向に往復移動させるローラトラバース方式であってもよい。
【００２２】
巻取ボビン２２ａは、光ファイバＦが巻回される胴部３２と、胴部３２の軸方向の両端部に設けられた鍔部２６、２６’を備えている。巻取ボビン２２ａは、駆動軸２３に取り付け固定され、駆動軸２３と共に、例えば、図の右から見て時計回りに回転可能に設けられている。
【００２３】
線叩き防止手段２４は、巻取ボビン２２ａの一部を覆うことが可能な環形状のカバーであり、巻取ボビン２２ａ側の側壁には、ボビン支持盤２７が通過し得る径の開口３７が形成されている。また、開口３７沿いの一部分には光ファイバＦ（切断された切断端末部Ｆ２）を案内するための切欠部３６が形成されている。また、巻取ボビン２２ａ側と反対側の側壁には、駆動軸２３が通過し得る径の開口３８が形成されている。なお、開口３８の径は、嵌入部２８が通過し得る大きさに形成するようにしてもよい。これにより当該側壁を巻取ボビン２２ａ（ボビン支持盤２７）に近づけて設けることができ線叩き防止手段２４を小型化することが可能になる。
【００２４】
線叩き防止手段２４の巻取ボビン径方向における外周は、断面が山形を有する外周壁によって形成されていることが望ましい。これにより巻取ボビン径方向の内周面には、Ｖ字形状の溝部が形成されている。また、線叩き防止手段２４の巻取ボビン径方向の内周面は、開口３７から遠ざかるにしたがってその径が順次拡大するように形成されており、最も径が拡大された山の頂部（最深溝部）３９の位置が、巻取ボビン２２ａの軸方向（駆動軸２３方向）において巻取ボビン２２ａ（鍔部２６）の位置よりも外側、好ましくはボビン支持盤２７の位置よりも外側に配設されている。このようにすることにより、切断端末部Ｆ２を溝部に導きやすくし、また、巻取られたファイバから切断端末部Ｆ２を遠ざけることができる。
【００２５】
また、線叩き防止手段２４は、駆動軸２３方向に移動可能に設けられており、少なくとも巻き取り終了処理時には巻取ボビン２２ａの一部を覆うように配設される。具体的には、線叩き防止手段２４は、巻き取り終了処理時に巻取ボビン２２ａの軸方向において、光ファイバが巻き取られる箇所を覆うように、少なくとも巻取ボビン２２ａの一方の鍔部２６を覆う位置、好ましくは、光ファイバＦが巻回される胴部３２の一部を覆う位置に配設されている。また、線叩き防止手段２４は、巻取ボビン２２ａの軸方向において、少なくともその一部が、巻取ボビン２２よりも外側に配設されている。
【００２６】
線叩き防止手段２４は、巻き取り処理をしている巻取ボビンを常時、覆うように配設されていてもよいが、少なくとも巻取ボビン２２ａと２２ｂの切り替え時、すなわち光ファイバＦを切断するときに巻き取り処理をしている巻取ボビンを覆うように配設されていれば足りる。例えば、線叩き防止手段２４は、光ファイバＦの巻き取り中には、図２のように破線で示される巻取ボビン２２ａの外に配設され、光ファイバＦの切断時に、実線で示される巻取ボビン２２ａを覆う位置に移動する。なお、線叩き防止手段２４は、軸方向に往復移動可能であるが、軸周りには回転は行わない。
【００２７】
線叩き防止手段２４は、静電気発生部材である帯電部材２５が接触することによって静電気を帯電する。線叩き防止手段２４は、平滑で高硬度な材質のものから構成されることが好ましく、例えば、ＳＵＳなどの金属等が用いられる。また、線叩き防止手段２４の内周面に、負極性に帯電し易いポリエステル、アクリル、塩化ビニル等のプラスチック・樹脂シート、正極性に帯電し易いナイロン、羊毛、毛皮、絹等の静電気帯電部材を貼設するようにしてもよい。
【００２８】
帯電部材２５は、駆動軸２３を構成するボビン支持盤２７に取り付けられている部材であり、駆動軸２３の周りを、ボビン支持盤２７と共に回転する。帯電部材２５は、静電気を発生し易い材料で形成された例えばブラシ状の静電気発生部材である。帯電部材２５としては、例えば、正極性に帯電し易いナイロン、羊毛、毛皮、レーヨン等、負極性に帯電し易いポリエステル、アクリル、塩化ビニル等を挙げることができる。いずれの材質のものを使用するかは、発生させる帯電量と、静電気帯電部材である線叩き防止手段２４に使用される材質および光ファイバの被覆材の材質などに対応して決定することができる。
【００２９】
帯電部材２５は、巻取ボビン２２ａ（ボビン支持盤２７）と線叩き防止手段２４の間にボビン支持盤２７から線叩き防止手段２４に向かうように設けられている。帯電部材２５は、駆動軸２３の移動に伴う巻取ボビン２２ａの移動、あるいは線叩き防止手段２４の移動によって、線叩き防止手段２４に接触する位置に配設される。帯電部材（静電気発生部材）２５は、上記回転によって帯電し、線叩き防止手段（静電気帯電部材）２４に接触することによって線叩き防止手段２４に静電気を帯電させる。
【００３０】
線叩き防止手段２４を帯電させることにより、切断された光ファイバＦの切断端末部Ｆ２を線叩き防止手段２４内に引き寄せることができる。切断されフリー状態となった切断端末部Ｆ２は、線叩き防止手段２４に帯電した静電気の吸引力によって引き寄せられ線叩き防止手段２４の内周面で捕捉される。線叩き防止手段２４は、少なくとも光ファイバＦの切断時において帯電していることが必要である。したがって、線叩き防止手段２４が巻取ボビン２２ａを覆う位置に配設されているときに常時、当該線叩き防止手段２４を帯電させておくこともできるが、巻き取り終了処理時における光ファイバＦの切断時のみに帯電させることが好ましい。すなわち、巻取ボビン２２ａの光ファイバ巻き状態への悪影響（巻き飛び等）を考慮すると、線叩き防止手段２４を切断時のみに帯電させる方が良い。
【００３１】
なお、光ファイバＦの巻き取り装置において、帯電した静電気を除電するために非接触式の静電除去器が設けられ、それが巻取ボビン２２ａ（巻回された光ファイバＦ）自体に帯電した静電気を除電するものである場合には、切り替え時のみ当該静電除去器をオフ（光ファイバＦの切断時以前の所定期間のみをオフ）にすることによって巻取ボビン２２ａ（巻回された光ファイバＦ）を帯電させておき、巻取ボビン２２ａ（巻回された光ファイバＦ）と線叩き防止手段２４間の電位差を大きくして、線叩き防止手段２４の静電気による吸引力を高めるようにしてもよい。
【００３２】
次に、図３に基づいて、静電気発生手段の別の一形態を説明する。
上述するように静電気発生手段としてブラシ状の帯電部材２５（図２）を挙げて説明したが、この形態に限定されるものではなく、例えば、図３に示すような非接触式のコロナ放電方式などによるものであってもよい。図３に示す光ファイバＦの巻き取り装置２１’は、静電気発生手段として静電気発生器（コロナ放電方式などによる発生手段）４５を備えている。なお、図２と同一または同様の部分については同一の符号を付しており、それらの部分については図２の各部分と同様の作用効果を得ることができ、その説明内容も同様である。
【００３３】
静電気発生器４５は、線叩き防止手段４４に向けて配設されたスポットタイプの静電気発生手段である。静電気発生器４５は、噴射ノズル４６を有しており、当該噴射ノズル４６の先端から＋（プラス）または−（マイナス）にイオン化した空気を対象物に吹き付けて静電気を帯電させる。静電気発生器４５は、光ファイバＦの巻き取り装置において、線叩き防止手段４４が巻取ボビン２２ａを覆う所定の位置に移動配置された際に、線叩き防止手段４４の外側からその外壁に向かってイオン化空気を吹き付ける。なお、静電気発生器４５のタイプは、この形態に限定されず、例えば、長手方向の本体部に複数のイオン化空気噴出口を有するバータイプのものであってもよい。
【００３４】
静電気発生器４５は、線叩き防止手段４４内に引き寄せる切断端末部Ｆ２の帯電状態をモニタリングする機能を備えていても良い。巻取ボビンの切り替え時に切断されてフリー状態となった切断端末部Ｆ２の帯電極性をモニタリングによって検出し、その極性とは逆の極性のイオン化空気を噴射ノズル４６から線叩き防止手段４４に向かって吹き付けることにより、線叩き防止手段２４内に案内された切断端末部Ｆ２は、線叩き防止手段２４の内周面（内壁面）に捕捉されやすくなる。
【００３５】
ここで、図４を参照して切り替え装置２０の巻取ボビン２２ａと２２ｂの切り替え動作の一例について説明する。なお、図４は、図２に示す巻き取り装置２１を右側から見ており、見易くするために鍔部２６’と押さえコーン２９を省略している。
【００３６】
時計回りに回転する巻取ボビン２２ａの巻ファイバ量が、所定の巻き取り量に達したとき、その巻き取りを右隣に配置されている巻取ボビン２２ｂによる巻き取りに切り替えるために、空の巻取ボビン２２ｂを反時計回りに回転開始させるとともに、光ファイバＦを案内するトラバースローラ３０を矢印３１の方向（図右側）に移動させる。これにより光ファイバＦは、空の巻取ボビン２２ｂの胴部３２に接するように移動する。続いて、ファイバ移動アーム３３を図面裏側方向へ移動させることによって光ファイバＦを鍔部２６側に移動させる。
【００３７】
鍔部２６に設けられた係止爪３４は、光ファイバＦを係止して巻取ボビン２２ｂの回転方向（反時計回り）に引き寄せる。このとき光ファイバＦは、巻取ボビン２２ａと巻取ボビン２２ｂ間に配置されたカッター３５によって切断される。これにより、巻取ボビン２２ａへの光ファイバＦの供給は遮断され、新しい空の巻取ボビン２２ｂによる光ファイバＦの巻き取りが開始される。なお、トラバースローラ３０とファイバ移動アーム３３は、元の位置に戻る。
【００３８】
これに対して所定の巻き取り量に達した巻取ボビン２２ａは、巻き取りを完了しその巻き取り回転を停止させる。しかし、それまでの回転力によってその回転を直ちに停止させることができず、減速しながらも回転が継続する。このとき、切断された光ファイバＦの巻取ボビン２２ａ側の切断端末部Ｆ２は、フリー状態になっている。
【００３９】
次に、巻取ボビン２２ａと２２ｂの切り替え時における巻き取り終了処理について以下に説明する。
【００４０】
巻取ボビン２２ａに光ファイバＦを巻き取り、巻取ボビン２２ａの巻ファイバ量が所定の巻き取り量に達したとき、線叩き防止手段２４を駆動軸２３方向に移動して巻取ボビン２２ａにおける光ファイバが巻き取られる箇所を覆う位置に配設する。少なくとも巻取ボビン２２ａの一方の鍔部２６を覆う位置、好ましくは、光ファイバＦが巻回される胴部３２の一部を覆う位置に配設する。また、線叩き防止手段２４の一部が巻取ボビン２２の外側に位置するように配設する。この際、光ファイバＦは、切り欠き部３６を通過し、線叩き防止手段２４内でボビンに巻き取られる。
【００４１】
巻ファイバ量が所定の巻き取り量に達したとき、光ファイバＦを切断するとともに、巻取ボビン２２ａの回転駆動を停止する。しかしながら慣性によって巻取ボビン２２ａの回転は継続する。光ファイバＦの切断によってフリー状態になった切断端末部Ｆ２（図２、図３の破線）は、線叩き防止手段２４内に収まっている。
【００４２】
また、巻ファイバ量が所定の巻き取り量に達したとき、巻取ボビン２２ａ（巻回された光ファイバＦ）を覆う位置に配設された線叩き防止手段２４に、静電気発生手段（帯電部材２５、静電気発生器４５）によって、巻取ボビン２２ａ（巻回された光ファイバＦ）の帯電とは逆電位の静電気を帯電させる。
【００４３】
線叩き防止手段２４内に引き込まれた切断端末部Ｆ２（図２、図３の実線）は、継続回転による遠心力と静電気による吸引力によって引き寄せられ、線叩き防止手段２４の開口３７から遠ざかるにしたがってその径が順次拡大する内周面に沿って移動する。そして、巻取ボビン２２ａ（鍔部２６）の位置よりも外側に配設されている最も径が拡大された最深溝部３９に到達する。これにより、切断端末部Ｆ２は、Ｖ字形状の溝部に沿って付着・捕捉される。
【００４４】
次に、図５に基づいて、線叩き防止手段の帯電量と線叩き防止率の測定結果について説明する。なお、帯電量は、線叩き防止手段２４から０．５ｍの位置で測定した電位差で表すものとする。また、線叩き防止率は、巻き取ったボビン表層の数ｋｍにおいて、適正負荷（張力）を掛けても断線しないボビンの割合を示すものとする。図５は、横軸に線叩き防止手段２４の帯電量（電位差）を示し、縦軸に線叩き防止率を示す。
【００４５】
図に示されるように、本発明の巻き取り装置および巻取り方法において、線叩き防止手段２４、４４に静電気を帯電させない場合、すなわち巻取ボビン２２ａと線叩き防止手段２４間の電位差を約０Ｖに設定した場合には、巻き取り装置２１、２１’における現状の線速で巻き取り動作を行うと、約６５％の線叩き防止率が得られる。これに対して、線叩き防止手段２４、４４に静電気を帯電させ、巻取ボビン２２ａと線叩き防止手段２４、４４間の電位差を約１ｋＶに設定した場合には約９０％の線叩き防止率、また、巻取ボビン２２ａと線叩き防止手段２４、４４間の電位差を約２．５ｋＶに設定した場合には約９５％の線叩き防止率を確保することができる。
【００４６】
この測定結果から、静電気帯電による十分な線叩き防止効果を得るためには、巻取ボビン２２ａ（切断端末部Ｆ２）に対する線叩き防止手段２４、４４の電位差が、１ｋＶ以上となるように線叩き防止手段２４、４４に静電気を帯電させればよい。そして、この電圧差が発生するように、静電気発生手段（帯電部材２５、静電気発生器４５）によって線叩き防止手段２４、４４に巻取ボビン２２ａ（切断端末部Ｆ２）とは逆極性の静電気を帯電させればよい。
【００４７】
以上のような構成により、本発明に係る光ファイバの巻き取り装置および巻き取り方法は、以下のような作用効果を有する。
線叩き防止手段内に案内した切断端末部を、線叩き防止手段に帯電させた静電気の吸引力によって引き寄せ線叩き防止手段の内周面に捕捉することにより、光ファイバを巻き取る巻取ボビンを切り替える際の線叩きを確実に防止することができる。このため、線速をより速くしても光ファイバの走行を中断することなく巻取ボビンの切り替えを行うことができ、光ファイバの製造効率および歩留まりを向上させることができる。
【００４８】
また、線叩き防止手段内は、内周面が傾斜してＶ字形状の溝になっているので、線叩き防止手段内に案内された切断端末部は、回転による遠心力と静電気による吸引力によってＶ溝部に捕捉され易く、切断端末部による線叩きを確実に防止することができる。そして、Ｖ溝の位置が軸方向において巻取ボビンの外側に位置するため、より確実に線叩きの発生を防止することができる。
【００４９】
また、線叩き防止手段は平滑で高硬度の材質によって構成されているため、静電気の吸引力によって光ファイバの切断端末部が線叩き防止手段の内周面に当接しても、あるいは線叩き防止手段の内周面に帯電部材がこすり付けられても傷付かず製品寿命を長くすることができる。
【００５０】
また、接触式の帯電部材あるいは非接触式のコロナ放電によって、線叩き防止手段に確実に静電気を帯電することができ、さらに十分な線叩き防止効果（防止率９０％以上）を確保できる電圧差（１ｋＶ以上）に帯電することができる。
【００５１】
また、線叩き防止手段は、駆動軸方向に移動可能であり、少なくとも巻き取り終了処理時に巻取ボビンに光ファイバが巻き取られる箇所を覆うように配設される。また、巻取ボビンの軸方向において巻取ボビンの一方の鍔部を覆う位置、好ましくは、光ファイバが巻回される胴部の一部を覆う位置に配設されるので、その覆う部分に形成された切欠部を介して切断された光ファイバの端末部をより確実に線叩き防止手段内に案内・引き込むことができ、引き込んだ切断端末部を静電気の吸引力によって内周面に捕捉することができる。
【００５２】
また、線叩き防止手段は、その一部分が巻取ボビンの軸方向において巻取ボビンの外側に配設されているので、線叩き防止手段内に引き込み、内周面に捕捉した光ファイバの切断端末部を巻取ボビンよりも外側の位置にまで移動させることができ、より確実に巻取ボビンを切り替える際の線叩きを防止することができる。
【００５３】
なお、上記実施形態では、本発明を光ファイバの線引工程における巻取ボビンの切り替えを行う巻き取り装置に適用した場合を例示したが、この形態に限定されることなく、例えば、光ファイバに着色樹脂を被覆して巻き取る着色装置、指示された所定の長さに分割しながら巻き替える巻替え装置等、光ファイバをボビンに巻き付けるあらゆる装置に対して適用可能である。
【符号の説明】
【００５４】
Ｆ：光ファイバ、Ｆ２：切断端末部、２０：切り替え装置、２１：巻き取り装置、２２ａ、２２ｂ：巻取ボビン、２３：駆動軸、２４、４４：線叩き防止手段、２５：帯電部材（静電気発生手段）、２６、２６’：鍔部、２７：ボビン支持盤、３２：胴部、３６：切欠部、３７：開口、４５：静電気発生器（静電気発生手段）、４６：噴射ノズル
【図１】
2014052499.tif 000003
【図２】
2014052499.tif 000004
【図３】
2014052499.tif 000005
【図４】
2014052499.tif 000006
【図５】
2014052499.tif 000007